(57)【要約】【課題】大入力に対して異常のない音波放射を可能とする電気音響変換器を提供する。【解決手段】少なくともエッジ２の長手方向に沿う端部２Ｅが、振動板１の振動方向に向かうように立ち上がるフランジ部２Ｄを有し、フランジ部２Ｄの先端側がフレーム３の長手枠３Ａまたは短手枠３Ｂと固定されている。また、トラック状のロール部３Ｃは、その長手部ＬＡと円弧状部ＳＡとの連接部近傍Ｍ１での幅及び突出高さが、連接部近傍Ｍ１から円弧状部ＳＡの頂部Ｔに向かうに従って漸次大きくなるように形成されている。【選択図】図２
2007074747.tif 000002
【特許請求の範囲】
【請求項１】
細長形状の振動板と、
前記振動板より大きい細長形状の外形を有し、前記振動板を支持するエッジと、
一対の長手枠と一対の短手枠とを有して成る略枠状であって、それぞれの枠に前記エッジが固定され、前記振動板を、前記エッジを介して振動自由となるように支持するフレームとを備えて成る電気音響変換器であって、
前記エッジの長手方向および短手方向に沿う側面に、前記振動板の振動方向に沿って延びるフランジ部を形成し、該フランジ部の先端側をそれぞれ前記フレームの長手枠または短手枠に固定したことを特徴とする電気音響変換器。
【請求項２】
細長形状の振動板と、
前記振動板より大きい細長形状の外形を有し、前記振動板を支持すると共に前記振動板の周囲に横断面形状が略円弧状の振動方向に突出するロール部が形成されて成るエッジと、
一対の長手枠と一対の短手枠とを有して成る略枠状であって、それぞれの枠に前記エッジが固定され、前記振動板を、前記エッジを介して振動自由となるように支持するフレームとを備えて成り、
前記ロール部が、前記エッジの長手方向に沿って互いに対向する一対の長手部と、この一対の長手部をその両端側で連結する一対の円弧状部とからなるトラック状に形成された電気音響変換器であって、
前記ロール部は、前記長手部と前記円弧状部とが連接する連接部近傍における横断面形状の幅及び突出高さが、前記連接部近傍から前記円弧状部の頂部に向かうに従って漸次拡大し、かつ、前記円弧状部の頂部の手前でその漸次拡大が終了するように形成されていることを特徴とする電気音響変換器。
【請求項３】
細長形状の振動板と、
前記振動板より大きい細長形状の外形を有し、前記振動板を支持すると共に前記振動板の周囲に横断面形状が略円弧状の振動方向に突出するロール部が形成されて成るエッジと、
一対の長手枠と一対の短手枠とを有して成る略枠状であって、それぞれの枠に前記エッジが固定され、前記振動板を、前記エッジを介して振動自由となるように支持するフレームとを備えて成り、
前記ロール部が、前記エッジの長手方向に沿って互いに対向する一対の長手部と、この一対の長手部をその両端側で連結する一対の円弧状部とからなるトラック状に形成された電気音響変換器において、
前記ロール部は、前記長手部と前記円弧状部とが連接する連接部近傍における横断面形状の幅が、前記連接部近傍から前記円弧状部の頂部に向かうに従って漸次大きくなるように形成されていることを特徴とする電気音響変換器。
【請求項４】
細長形状の振動板と、
前記振動板より大きい細長形状の外形を有し、前記振動板を支持すると共に前記振動板の周囲に横断面形状が略円弧状の振動方向に突出するロール部が形成されて成るエッジと、
一対の長手枠と一対の短手枠とを有して成る略枠状であって、それぞれの枠に前記エッジが固定され、前記振動板を、前記エッジを介して振動自由となるように支持するフレームとを備えて成り、
前記ロール部が、前記エッジの長手方向に沿って互いに対向する一対の長手部と、この一対の長手部をその両端側で連結する一対の円弧状部とからなるトラック状に形成された電気音響変換器において、
前記ロール部は、前記長手部と前記円弧状部とが連接する連接部近傍における横断面形状の突出高さが、前記連接部近傍から前記円弧状部の頂部に向かうに従って漸次大きくなるように形成されていることを特徴とする電気音響変換器。
【請求項５】
前記エッジの長手方向に沿う側面に、前記振動板の振動方向に沿って延びるフランジ部を形成し、該フランジ部の先端側を前記フレームの長手枠に固定したことを特徴とする請求項２〜請求項４のいずれか一の請求項に記載の電気音響変換器。
【請求項６】
前記エッジの長手方向および短手方向に沿う側面に、前記振動板の振動方向に沿って延びるフランジ部を形成し、該フランジ部の先端側をそれぞれ前記フレームの長手枠または短手枠に固定したことを特徴とする請求項２〜請求項５のいずれか一の請求項に記載の電気音響変換器。
【発明の詳細な説明】
【技術分野】
【０００１】
本発明は、電気音響変換器に係り、特に細幅（細長）形状のスピーカに関する。
【背景技術】
【０００２】
例えば、テレビセットに搭載されるスピーカユニットは、最適な音響効果が得られるように、通常、画面の両脇に配置される。一方、テレビセットは、その画面の大型化や横長化に伴い、セット外形をできるだけ小さくすることが市場要求となっており、スピーカユニットに対しても、高音質を追求しつつ、その横幅を可能な限り小さくすることが求められている。
その要求に応えるべく、従来、角型や楕円型等の細幅構造のスピーカユニットが種々提供されてきた。このような細幅構造のスピーカ一例として、特許文献１の従来の技術欄に記載されたものがある。
【０００３】
【特許文献１】特開２００２−３２５２９４号公報          （段落番号０００２〜０００９参照）
【０００４】
このような、従来の細幅構造の電気音響変換器２０の一例について、図１２〜図１４を用いて説明する。
図１２（ａ）及び図１２（ｂ）は、それぞれ従来の細幅構造の電気音響変換器２０の正面図及びＡ−Ａ線断面図である。
これらの図において、振動板２１は、振動方向から見た平面形状が長径と短径とを有し、音を放射する方向に凹凸状とした部分を連続的に形成されて成るものである。この振動板２１の外周部にはエッジ２２が接合され、このエッジ２２はさらにフレーム２３に保持されている。図１２（ａ）におけるフレーム２３は簡略的に表されている。
【０００５】
振動板２１の外周部下端には、トラック型のボイスコイルボビン２４が固着されている。このボイスコイルボビン２４の外周面には、ボイスコイル２５が巻回されている。ボイスコイルボビン２４は、後述する磁気回路の磁気空隙Ｇに釣り下げられ、音声信号電流と磁束により駆動力を発生する。
フレーム２３は、枠状に形成され、その側面の一部は、エッジ２２の側部に沿った形状とされている。
【０００６】
磁気回路は、フレーム２３の内側下方部に取付けられている。
この磁気回路は、鉄製のヨーク２６，マグネット２７，ポールピース２８で構成され、フレーム２３の所定位置に固定されている。なお、ポールピース２８は、振動板２１の主振動部に対応する位置に設けられている。
【０００７】
次に、振動板２１と、この振動板２１の外周部に接合され、フレーム２３に保持されているエッジ２２との具体的構成を説明する。
この振動板２１は、上述のように、振動方向から見た平面形状が、長径と短径を有し、音を放射する方向に凹凸状に連続的に湾曲した形状を有するものである。即ち、凸状部２９ａと凹状部２９ｂとを交互に連続して形成した形状を有するものである。また、それぞれの凹状部の深さ寸法Ｄは、ほぼ同程度に形成されている。
【０００８】
この振動板２１は、ボイスコイル２５の発熱に耐え、かつ、振動板２１としての機械的特性に優れたポリイミド（ＰＩ）フィルムによって形成されている。また、溝部２９ｃが振動板２１の略中央部に設けられている。
【発明の開示】
【発明が解決しようとする課題】
【０００９】
ところで、エッジ２２はその短径方向の幅が広い程、加えられる駆動力に対して線形で応答できる範囲が広がり、最大振幅をより大きく設定できるので低音域の再生には好ましい。
しかしながら、上述のように、スピーカユニットの幅はより狭いことが望まれており、そのためには、エッジ２２の幅も狭くする必要がある。そうすると、応答において線形性を保つことがより困難になる。この線形性については、エッジ２２の幅が大きく関与している。
【００１０】
線形性への影響度合いは、再生する音の振幅が大きい場合にエッジのフレーム接合部付近に生じる応力を観測することにより明らかになる。また、スピーカの歪み特性でも知ることができる。
図１３は、シミュレーションによってエッジ２２のフレームとの接合部付近に生じる応力分布の一例を示した図である。
【００１１】
従来のエッジでは、長手方向も容易に振動して部位により応力偏倚が生じることが知られているが、図１３はこれを裏付けるように、長手方向に高い応力集中が生じていることを示している。この応力集中は、電気的特性や音質に悪影響を与えるものである。
また、従来のエッジを有するスピーカの音響特性の例を図１４に示す。当図は、第２次高調波，第３次高調波歪のいずれの歪みも大きい特性になっていることを示すものである。この大きい歪みが音質に悪影響を与えることは言うまでもない。
【００１２】
そこで本発明が解決しようとする課題は、大入力に対して異常のない音波放射を可能とする電気音響変換器を提供することにある。
【課題を解決するための手段】
【００１３】
上記の課題を解決するために、本願発明は手段として次の構成を有する。
即ち、請求項１は、略長丸状の振動板１と、前記振動板１より大きい細長形状の外形を有し、その略中央に前記振動板１を配置して該振動板１を支持するエッジ２と、一対の長手枠３Ａと一対の短手枠３Ｂとを有して成る略枠状であって、それぞれの枠に前記エッジ２の端部２Ｅが固定され、前記振動板１を、前記エッジ２を介して振動自由となるように支持するフレーム３とを備えて成る電気音響変換器において、
少なくとも前記エッジ２の長手方向に沿う前記端部２Ｅが、前記振動板１の振動方向に向かうように立ち上がるフランジ部２Ｄを有し、該フランジ部２Ｄの先端側が前記長手枠３Ａまたは前記短手枠３Ｂと固定されていることを特徴とする電気音響変換器である。
また、請求項２は、略長丸状の振動板１と、前記振動板１より大きい細長形状の外形を有し、その略中央に前記振動板１を配置して該振動板１を支持すると共に前記振動板１の周囲に横断面形状が円弧状の振動方向に突出するロール部２Ｃが形成されて成るエッジ２と、一対の長手枠３Ａと一対の短手枠３Ｂとを有して成る略枠状であって、それぞれの枠３Ａ，３Ｂに前記エッジの端部２Ｅが固定され、前記振動板１を、前記エッジ２を介して振動自由となるように支持するフレーム３とを備えて成り、前記ロール部２Ｃが、前記エッジ２の長手方向に沿って互いに対向する一対の長手部と、この一対の長手部をその両端側で連結する一対の円弧状部とからなるトラック状に形成された電気音響変換器において、
前記ロール部は、前記長手部ＬＡと前記円弧状部ＳＡとが連接する連接部近傍Ｍ１での横断面形状における幅及び突出高さが、前記連接部近傍Ｍ１から前記円弧状部ＳＡの頂部Ｔに向かうに従って漸次大きくなるように形成された部分を有していることを特徴とする電気音響変換器である。
また、請求項３は、少なくとも前記エッジ２の長手方向に沿う前記端部２Ｅが、前記振動板１の振動方向に向かうように立ち上がるフランジ部２Ｄを有し、該フランジ部２Ｄの先端側が前記長手枠３Ａまたは前記短手枠３Ｂと固定されていることを特徴とする請求項２記載の電気音響変換器である。
【発明の効果】
【００１４】
以上詳述したように、本願発明によれば、振動板の線形性が向上し、大入力に対して異常のない音波放射が可能になり、外形形状における幅方向をより小さくできる、という効果を得る。
【発明を実施するための最良の形態】
【００１５】
本発明の実施の形態を、好ましい実施例により図１〜図１１を用いて説明する。
図１は、本発明の電気音響変換器の実施例を示す図であり、
図２は、本発明の電気音響変換器の実施例を示す断面図であり
図３は、本発明の電気音響変換器の実施例における振動板を説明する斜視図であり、
図４は、本発明の電気音響変換器の実施例におけるボイスコイルを説明する斜視図であり、
図５は、本発明の電気音響変換器の実施例におけるフレームを説明する平面図であり、
図６は、本発明の電気音響変換器の実施例におけるエッジを説明する斜視図であり、
図７は、本発明の電気音響変換器の実施例におけるエッジを説明する断面図であり、
図８は、本発明の電気音響変換器の実施例におけるエッジの要部を説明する斜視的断面図であり、
図９は、本発明の電気音響変換器の一実施例における応力集中を説明する図であり、
図１０は、本発明の電気音響変換器の実施例における応力集中を説明する図であり、
図１１は、本発明の電気音響変換器の好ましい一実施例の特性を説明する図である。
【００１６】
まず、図１，図２を主に用いて具体的構成について説明する。
図１（ａ）はその平面図であり、図１（ｂ）は図１（ａ）のＡ−Ａ線半断面図である。  図２は、図１（ａ）におけるＢ−Ｂ線断面図である。
この電気音響変換器１０は、振動板１とエッジ２とフレーム３とを有して構成されており、概略を以下に説明する。
【００１７】
振動板１は、長径と短径とを有し、対向する長辺とその端部を連結する略円弧状部とからなる長丸状の部材である（図３参照）。
エッジ２は、振動板１の外周と接合され、その振動板１をフレーム３に対して振動自在に保持する部材であり、振動板１に相応する部分を開口し一部に凹凸を有する枠状部材である（図６参照）。
フレーム３は、各部材を支持する略枠状の支持体であり、長手及び短手の枠部とエッジ２の外周とが接合され、このエッジ２を支持するものである（図５参照）。
振動板１の外周部下端には、図４に示すようなトラック型のボイスコイルボビン４が固着されている。このボイスコイルボビン４の外周面には、ボイスコイル５が巻回されている。
ボイスコイルボビン４は、後述する磁気回路の磁気空隙Ｇに釣り下げられ、音声信号電流と磁束とにより駆動力を発生する。
【００１８】
フレーム３の内側には磁気回路が取り付けられている（図１（ｂ），図２参照）。
この磁気回路は、鉄からなるコ字状のヨーク６と、そのヨーク６の内側に固定されたマグネット７と、このマグネット７の先端に、振動板１の主振動部（概ね凹部凸部が設けられている範囲）１Ａに対向するように設けられたポールピース８とから構成されている。
【００１９】
次に、（１）振動板，（２）エッジ及び（３）フレームについて詳述する。
（１）振動板１について
振動板１は、上述のように、長径と短径とを有し、対向する長辺とその端部を連結する略円弧状部とからなる長丸状の部材であって、凹凸形状を備えた主振動部１Ａとその周囲に形成されたフランジ部１Ｂとを備えている。長手方向の端部角はＲ形状になっている。
主振動部１Ａには、振動方向Ｖに凹凸とされた凹部及び凸部が、長径方向に連続して形成されている。即ち、交互に連続した凸部１１ａ〜１１ｆと凹部１２ａ〜１２ｄとが形成されている。
また、この凹部１２ａ〜１２ｄの深さＤ１は、中央部を除きほぼ同じ深さに形成されている。
【００２０】
この振動板１は、ボイスコイル５の動作時の発熱に耐えることから、また、振動板としての機械的特性が優れていることからポリイミド（ＰＩ）フィルムにより形成されている。
振動板１のほぼ中央部には、短手方向に溝部９が設けられている。この溝部９の深さＤ２は、主振動部１Ａの長手方向端部に設けられた肩部１４の深さ方向寸法Ｃとほぼ同じに設定されている。
【００２１】
（２）エッジ２について（図２，図６，図７参照）
エッジ２は、上述のように、振動板１の外形にほぼ相応する部分を開口した開口部２Ａを有する略枠状に形成された部材である。
具体的には、図２，図６に示すように、上述の開口部２Ａを設けた平坦部２Ｂと、平坦部２Ｂの外側に、断面が略円弧状となるようにトラック状に突出形成されたロール部２Ｃと、このロール部２Ｃの外側における長手方向側部にロール部２Ｃの突出方向とは逆の方向に折り返すように立ち上げたフランジ部２Ｄとを備えている。このロール部２Ｃは、その断面形状が、エッジ２の短手側、即ち、ロール部２Ｃの円弧状部において徐変するように形成されている。
ここで、トラック状とは、エッジ２の長手方向に沿って互いに対向する一対の長手部（長手領域ＬＡ）と、この一対の長手部をその両端側で連結する一対の略円弧状部（短手領域ＳＡ）とからなる形状を意味する。
【００２２】
この断面形状の徐変について、図８を用いて具体的に説明する。
図８は、図６の１つの隅部分Ｐを拡大した図であり、振動板１をエッジ２に固着した状態を示している。
ロール部２Ｃは、エッジ２の長手領域ＬＡでは、外形曲率Ｒ１，突出高さｈ１，ロール幅Ｗ１とで成る断面形状が一定となるように形成されている。
ここにおいてロール幅Ｗ１とは、ロール部２Ｃがエッジ２の表面（平坦部２Ｂ）と接する内側の境界線２Ｃ１と外側の境界線２Ｃ２との間隔Ｗ１のことであり、以下、間隔Ｗ１と称する。
【００２３】
この断面形状は、短手領域ＳＡにおいて突出高さｈ１と間隔Ｗ１とが、円弧の頂部Ｔに向かって漸次拡大するように、また、エッジ２の長手方向に延びる中心軸ＣＬ１の位置でそれぞれが最大（外形曲率Ｒ２，突出高さｈ２，間隔Ｗ２）となるように形成されている。そして、ロール部２Ｃは、この軸ＣＬ１に対して軸対称となるように形成されている。本実施例では、拡大比率Ｒ２／Ｒ１，ｈ２／ｈ１，Ｗ２／Ｗ１を１．２に設定している。
この断面形状の変化開始点である変化部Ｍ１は、長手領域ＬＡと円弧状領域ＳＡとの連接部Ｍでなくてもよく、この連接部Ｍの近傍に設定されていればよい。
また、この漸次拡大する範囲の頂点側端部（変化終了点）Ｍ２は、頂点Ｔではなく、その手前に設定してもよい。いずれの形態においても、変化部Ｍ１（変化開始点）と頂点側端部Ｍ２（変化終了点）は、屈曲線が生じないようになだらかに非変化範囲と連接する。
【００２４】
また、ロール部２Ｃは、エッジ２の開口部２Ａにおける円弧状部分のライン２ＡＬと相似形の、ロール部２Ｃの中心線ＣＬ２を想定した場合、ロール部２Ｃの断面形状が徐変しても、内側の境界線２Ｃ１とこの中心線ＣＬ２との距離Ｗｉｎ、及び、外側の境界線２Ｃ２と中心線ＣＬ２との距離Ｗｏｕｔとが等しくなるように形成されている
【００２５】
エッジ２の材料としては、ブチルゴムを用いることができる。耐熱性や振動特性等に優れるものであれば、この材料に限定されるものではない。
図２に示すように、開口部２Ａの内側（図の下側）から振動板１が挿入され、この振動板１のフランジ部１Ｂの上面と、エッジ２の平坦部２Ｂの下面とが接着剤により固着されることで両者は一体化されている。
【００２６】
（３）フレーム３について
フレーム３は、上述のように、各部材を支持する略枠状に形成された支持体であり、長手方向の一対の長手枠３Ａと短手方向の一対の短手枠３Ｂとを連結して成るものである（図５参照）。
短手枠３Ｂには、このフレームを他の部材に固定するための締結孔３Ｂ１が設けられている。
また、短手枠３Ｂの内方側には、長手枠３Ａにも連接して円弧状の端部を有する鍔部３Ｂ２が設けられている（図１（ｂ），図５参照）。
長手枠３Ａの外側面には、壁部３Ａ１ａと突き当てになる底部３Ａ１ｂとからなる段部３Ａ１が設けられている（図２参照）。
【００２７】
図２において、エッジ２は、当図の上方向からフレーム３に載置され、長手方向においては、エッジ２のフランジ２Ｄの内側の面とフレーム３の長手枠３Ａの壁部３Ａ１ａとを接着剤で固着する。
一方、短手方向においては、エッジ２の長手方向の端部にある平坦部２Ｅの下面とフレーム３の鍔部３Ｂ２の上面とを接着剤で固着する。
これらの固着により、フレーム３とエッジ２とが一体化し、振動板１はフレーム３に対してエッジ２を介して振動自由になるように支持されている。
【００２８】
次に、上述のような構成の電気音響変換器１０の動作について説明する。
この構成において、マグネット７によって生じる磁界中でボイスコイルボビン４に巻回されたボイスコイル５に駆動電流が流れると、この駆動電流に応じた電磁力がボイスコイルボビン４に作用し、このコイルボビン４と一体化されている振動板１がその主振動部１Ａを主体として振動する。
【００２９】
この時、上述したように、エッジ２の側面にフランジ部２Ｄを形成してこのフランジ部２Ｄの先端側をフレーム３に固着したことにより、振動板１を弾性的に主に支持するロール部２Ｃの外側の境界線２Ｃ２に対して、エッジ２がフレーム３に支持されるフランジ部２Ｄの端部が振動方向に位置するように構成されているので、エッジ２の幅を大きくすることなく境界線２Ｃ２とフランジ部２Ｄの端部との間の距離を長くできて線形性の向上が成されている。
また、短手領域ＳＡにおけるロール部２Ｃの断面形状を長手領域ＬＡから頂部Ｔに向けて漸次拡大するように徐変させたことによって、振動板１の振幅の線形性が飛躍的に向上し、エッジ２の外周部における応力レベルが激減すると共に、応力集中も防ぐことができる。
【００３０】
また、エッジ２の長手方向の側方部分においては、ロール部２Ｃの外側の平坦部２Ｅにフレーム３との接着しろが不要になっているので、この部分の幅を極めて小さくすることができる。
従って、電気音響変換器の外形においても、その幅方向寸法をより小さく形成することができる。
【００３１】
上述した構成の電気音響変換器を振動させた場合のエッジ２に生じる応力について図９，図１０を用いて説明する。
図９は、エッジ２にフランジ部２Ｄを設け、この先端部をフレームに固定した場合の応力集中を説明する、エッジ２の隅部を内側から見た斜視図である。
図１０は、図９で示した構成に加えて、短手領域ＳＡにおいてロール部２の断面形状を拡大方向に徐変させた場合の応力集中を説明する、エッジ２の隅部を内側から見た斜視図である。
【００３２】
これらの図と従来のエッジを用いた場合の図１３とを比較すると、フランジ部２Ｄを設けた場合（図９）は、応力集中は生じているものの、その範囲は極めて局所的になっていることがわかる。
従って、振幅応答が線形となる範囲が拡大しており、電気的特性や音質に与える悪影響が極めて少なくなっていることを示している。
【００３３】
一方、フランジ部２Ｄの形成に加えて、短手領域ＳＡでロール部２Ｃの断面形状を拡大方向に徐変させた場合（図１０）には、応力集中は全く発生していない。
従って、振幅応答が線形となる範囲が飛躍的に拡大しており、応力集中が電気的特性や音質に与える悪影響を完全に排除できていることを示している。
【００３４】
また、本実施例における電気音響変換器１０の音圧周波数特性と高調波歪の周波数特性図を図１１に示す。
当図と従来の周波数特性図である図１４とを比較すれば、本実施例においては、音圧特性が何ら損なわれることなく、第２次高調波歪及び第３次高調波歪が大幅に減少していることがわかる。これは、これらの歪が音質に与える悪影響を大幅に減少できていることを示すものである。
【００３５】
さて、本発明の実施例は、上述した構成に限定されるものではなく、本発明の要旨を逸脱しない範囲において例えば下記のような変形例としてもよいものである。
【００３６】
フランジ部２Ｄは、長手方向の長さと立ち上がり角度と立ち上がり長さとを限定するものではないが、最も望ましい形態は以下の形態である。
即ち、長手方向長さとしては、振動板１の主振動部と概ね対応する範囲に設けられているものであり、角度としては、概ね振動方向に立設されているものである。立ち上がり長さは、できる限り長いものであることが望ましい。
【００３７】
また、エッジ２の長手方向端部側にも側部と同様に立ち上げたフランジ部を設け、このフランジ部の先端部分をフレーム３と固着するように構成してもよい。
【００３８】
ロール部２Ｃの断面形状の徐変については、内側の境界線２Ｃ１と振動板１の円弧状部分のライン２ＡＬとが相似形になるように、（Ｗ１／２）＝Ｗｉｎとしてもよく、また、外側の境界線２Ｃ２とライン２ＡＬとが相似形になるように（Ｗ１／２）＝Ｗｏｕｔとしてもよいが、Ｗｉｎ＝Ｗｏｕｔとして徐々に拡大するようにした上述の実施例の構成が最も好ましい形態である。
【００３９】
ロール部２Ｃの拡大比率は１．２に限定されるものではない。振動板１の形状や材質等により最適な拡大比率を設定できるものである。また、この比率は、外形曲率，突出高さ，ロール部幅のそれぞれで異なるように設定してもよい。
その際、外形曲率の拡大比率をＲ２／Ｒ１＝１として変化させなくてもよい。
振動板１の主振動部１Ａに設けた凹凸形状は、上述した形状に限るものではなく、この主振動部１Ａの形状は任意に設定できるものである。
【図面の簡単な説明】
【００４０】
【図１】本発明の電気音響変換器の実施例を示す図である。
【図２】本発明の電気音響変換器の実施例を示す断面図である。
【図３】本発明の電気音響変換器の実施例における振動板を説明する斜視図である。
【図４】本発明の電気音響変換器の実施例におけるボイスコイルを説明する斜視図である。
【図５】本発明の電気音響変換器の実施例におけるフレームを説明する平面図である。
【図６】本発明の電気音響変換器の実施例におけるエッジを説明する斜視図である。
【図７】本発明の電気音響変換器の実施例におけるエッジを説明する断面図である。
【図８】本発明の電気音響変換器の実施例におけるエッジの要部を説明する斜視的断面図である。
【図９】本発明の電気音響変換器の一実施例における応力集中を説明する図である。
【図１０】本発明の電気音響変換器の実施例における応力集中を説明する図である。
【図１１】本発明の電気音響変換器の好ましい一実施例の特性を説明する図である。
【図１２】従来の電気音響変換器を説明する図である。
【図１３】従来の電気音響変換器における応力集中を説明する図である。
【図１４】従来の電気音響変換器の特性を説明する図である。
【符号の説明】
【００４１】
１  振動板
１Ａ  主振動部
１Ｂ  フランジ部
２  エッジ
２Ａ  開口部
２ＡＬ  ライン
２Ｂ  平坦部
２Ｃ  ロール部
２Ｃ１  （内側の）境界線
２Ｃ２  （外側の）境界線
２Ｄ  フランジ部
２Ｅ  （ロール部外側の）平坦部
３  フレーム
３Ａ  長手枠
３Ａ１  段部
３Ａ１ａ  壁部
３Ａ１ｂ  底部
３Ｂ  短手枠
３Ｂ１  締結孔
３Ｂ２  鍔部
４  ボイスコイルボビン
５  ボイスコイル
６  ヨーク
７  マグネット
８  ポールピース
９  溝部
１０  電気音響変換器
１１ａ〜１１ｆ  凸部
１２ａ〜１２ｄ  凹部
１４  肩部
Ｃ，Ｄ１，Ｄ２  深さ
ＣＬ１，ＣＬ２  中心軸
Ｇ  磁気空隙
Ｖ  振動方向
Ｍ  連接部
Ｍ１  変化部（連接部近傍）（変化開始点）
Ｍ２  頂点側端部（変化終了点）
Ｔ  頂部
ＬＡ  長手領域
ＳＡ  短手領域
ｈ１，ｈ２  突出高さ
Ｒ１，Ｒ２  曲率
Ｗ１，Ｗ２  間隔
Ｗｉｎ，Ｗｏｕｔ  距離
【図１】
2007074747.tif 000003
【図２】
2007074747.tif 000004
【図３】
2007074747.tif 000005
【図４】
2007074747.tif 000006
【図５】
2007074747.tif 000007
【図６】
2007074747.tif 000008
【図７】
2007074747.tif 000009
【図８】
2007074747.tif 000010
【図９】
2007074747.tif 000011
【図１０】
2007074747.tif 000012
【図１１】
2007074747.tif 000013
【図１２】
2007074747.tif 000014
【図１３】
2007074747.tif 000015
【図１４】
2007074747.tif 000016